(57)【要約】【課題】フィルタ処理をしないで、或いはフィルタ処理を最小限に抑えて、適正な楽音信号を得ることができるバイオリン属の電気弦楽器を提供する。【解決手段】駒を中間部に配置して弦を張った楽器本体１と、弦振動に伴う楽器本体の振動を検出するために該楽器本体に設けられたピックアップ部とを備えたバイオリン属の電気弦楽器であって、前記楽器本体におけるネック３の基端部とサドル相当部５との間のいずれかの位置に音色変更用の質量体１６を取り付けたことを特徴とする電気弦楽器。【選択図】図１
2004144774.tif 000002
【特許請求の範囲】
【請求項１】
駒を中間部に配置して弦を張った楽器本体と、弦振動に伴う楽器本体の振動を検出するために該楽器本体に設けられたピックアップ部とを備えたバイオリン属の電気弦楽器であって、前記楽器本体におけるネックの基端部とサドル相当部との間のいずれかの位置に音色変更用の質量体を取り付けたことを特徴とする電気弦楽器。
【請求項２】
前記質量体は、前記楽器本体におけるネックの基端部と駒との間のいずれかの位置の裏面又は側面に取り付けられていることを特徴とする請求項１に記載の電気弦楽器。
【請求項３】
前記質量体は、位置を変更し得るように取り付けられていることを特徴とする請求項１又は２に記載の電気弦楽器。
【発明の詳細な説明】
【０００１】
【発明の属する技術分野】
本発明は、バイオリン属の電気弦楽器、すなわちバイオリン、ビオラ、チェロ、コントラバス等の擦弦型電気楽器に関する。
【０００２】
【従来の技術】
バイオリン属の電気弦楽器は、弓による擦弦、又は指による弾弦によって生じた弦の振動をピックアップ部で検出し、検出した信号を増幅し、さらにバンドパスフィルタ等でフィルタ処理をして楽音信号を得る。この電気弦楽器によれば、自然楽器のような大きな音を発することなくヘッドフォン等で演奏音を聴くことができ、或いは、アンプを経て接続したスピーカから発音させることができ、さらには楽音信号を記録媒体に電子的に記録することができる（例えば、特許文献１参照）。
【０００３】
しかしながら、弦振動の検出信号のフィルタ処理は、電気回路を複雑化し、製造コストを高くする。さらに、フィルタ処理により有用な音情報まで低減させ、音質を劣悪化させることがある。特に大きな減衰率や複雑な減衰特性のフィルタを使用する場合と、これらの問題が大きくなる。
【０００４】
【特許文献１】
特開平１０−１３６５５号公報（段落００３０）
【０００５】
【発明が解決しようとする課題】
本発明は、このような従来技術の問題点を解決し、フィルタ処理をしないで、或いはフィルタ処理を最小限に抑えて、適正な楽音信号を得ることができるバイオリン属の電気弦楽器を提供することを目的とする。
【０００６】
【課題を解決するための手段】
本発明は、前記目的を達成するため、駒を中間部に配置して弦を張った楽器本体と、弦振動に伴う楽器本体の振動を検出するために該楽器本体に設けられたピックアップ部とを備えたバイオリン属の電気弦楽器であって、前記楽器本体におけるネックの基端部とサドル相当部との間のいずれかの位置に音色変更用の質量体を取り付けたことを特徴とする電気弦楽器を提供するものである。
【０００７】
上記電気弦楽器においては、楽器本体におけるネックの基端部とサドル相当部との間のいずれかの位置に音色変更用の質量体を取り付ける。弦の振動は、駒を介して楽器本体に伝わり、楽器本体の振動をピックアップ部が検出する。楽器本体のネックの基端部とサドル相当部との間の部分は、ピックアップを保持すると共にピックアップと一体になって振動する。したがって、この部分のいずれかに質量体を取り付けることにより、楽器本体及びピックアップの振動状態を制御することができ、その結果、音質を効率的に変化させることができる。また、この位置の裏面又は側面に質量体を設けるので、演奏上の妨げとはならない。さらに、楽器本体の振動特性を変化させるので、音質の変化の他に、発音時の音の立ち上がり等、楽器の物理的レスポンスを変化させることもできる。
【０００８】
上記電気弦楽器においては、前記質量体は、前記楽器本体におけるネックの基端部と駒との間のいずれかの位置の裏面又は側面に取り付けるのが望ましい。この部分には、質量体付加により効率的に振動状態を制御し得る要所、すなわち、「固有振動の腹」が最も多く含まれているからである。また、駒とサドル相当部との間の位置には、入力スイッチや音質・音量の操作部が設けられることが多い。したがって、質量体を楽器本体におけるネックの基端部と駒との間のいずれかの位置の裏面又は側面に取り付けることによって、より効率的な音質の変化が得られ、操作部等の配置が行ないやすくなる。
【０００９】
さらに、前記質量体は、前記楽器本体におけるネックの基端部と駒との中央位置から楽器長手方向へ±３０ｍｍの範囲内のいずれかの位置の裏面又は側面に取り付けるのが、より望ましい。これは、この範囲での質量体の装着が、音質の変更に特に効果的であるからである。
【００１０】
また、前記質量体は、位置を変更し得るように取り付けられているのが望ましい。これにより、奏者の好みや演奏をする場所の環境に合わせて音質を簡便に変更することができる。
【００１１】
【発明の実施の形態】
以下、本発明の実施形態について添付図面を参照しつつ説明する。図１は、本発明の一実施形態に係る電気バイオリンを裏面から見た状態、図２は図１のＩＩ−ＩＩ線に沿う断面を示している。
【００１２】
この電気バイオリンは、駒を中間部に配置して４本の弦２を張った楽器本体１を備えている。楽器本体１は、弦に沿って細長く延びており、先端側（図の上部）は、自然楽器のバイオリンと同じように、演奏時に手の親指が当てられるネックとされ、その先端側に糸巻き（図示せず）が設けられている。
【００１３】
楽器本体１には、その一側方（演奏時に右側となる部分）に張り出した胴部４が取り付けられている。胴部４は、細いリム状とされ、自然楽器のバイオリンの表板及び裏板の輪郭に沿う形状をなして延び、ネック３の基端部、楽器本体の基端部（サドル相当部）５、及び中央のくびれ部は、楽器本体１に各々ねじ６，７，８により固定されている。
【００１４】
楽器本体１の表側は、自然楽器のバイオリンと同様に、中央部に駒が立てられ、弦が駒を跨いで糸巻きとテールピースとの間に張られている。駒の直下には振動を検出するためのピックアップが取り付けられている。演奏時の弦の振動は、駒を介してピックアップに伝えられる。この際、楽器本体の振動も併せてピックアップにより検出される。これにより、楽器の音色が形成される。
【００１５】
楽器本体の基端部は、胴部４と反対側に張り出して顎当て部９を構成している。この顎当て部の内部空間には、電源を備えた制御部１１が収納されている。また、楽器本体１の裏面における駒位置よりサドル相当部側の部分には、制御部１１に接続されたオン・オフスイッチ１２，ボリューム１３及び音質選択スイッチ１４からなる操作部が設けられている。これらピックアップ、制御部、操作部は、通常の電気バイオリンと同様に構成することができる。
【００１６】
さらに、楽器本体１の裏面におけるネックの基端部とサドル相当部との間には、音色変更用の質量体１６が取り付けられている。この取付けは、楽器本体の裏面に取り付け用のプレート１７を図外の取付けねじにより固定し、このプレート１７に質量体１６をねじ１８で締結することにより行なわれている。
【００１７】
プレート１７は、長手方向に延びる浅い凹所を形成するように断面Ｕ字形をなしており、楽器本体１の裏側に形成された溝に嵌め込まれている。プレート１７は、質量体１６より長く、楽器本体裏側におけるネックの基端部付近から駒付近まで延びており、ねじ１８を螺合するための雌ねじ付き孔１９が複数設けられている。図示の例では、質量体の四隅付近にねじの貫通孔が形成されている。プレート１７には、質量体の貫通孔の楽器長手方向の間隔に等しいピッチで６対の雌ねじ付き孔が形成されている。したがって、質量体１６は、雌ねじ付き孔１９への取付け位置を選択することにより、５箇所の異なる位置とすることができる。
【００１８】
質量体は、楽器のサイズ、求める音質等により適切な質量が決められ、それに応じて材質（金属、軽金属、プラスチック、木等）が選択され、寸法が決められる。
【００１９】
以下に、図示した電気バイオリンに種々の質量体を装着した実験に基づき、音質の変化について具体的に説明する。
【００２０】
表１に、図示のバイオリンに装着した質量体の仕様を示す。
【００２１】
【表１】
2004144774.tif 000003
【００２２】
上記質量体を装着することにより認められた音質の変化について説明する。図３は、バイオリンを演奏した際に発せられる音の周波数分析結果の一例を示すグラフである。ここでは、定性的な説明をするので、周波数の数値は省略している。このグラフにおける最も左のピークが基音である。その上にいくつかの倍音のピークが現れる。ここで、基音の強度をＩｂ，　倍音の中で最もピーク値の大きいものの強度をＩｈ，　Ｃを無次元定数としたとき、
Ｉｈ／Ｉｂ＞Ｃ　　　（式１）
の条件を満たす基音を取り上げる。Ｃをある程度大きくしてもこの条件を満たす場合、その音は望ましくない刺激的な音質として聞こえる。
【００２３】
表２は、このようにして、所定のＣの値で（この実験ではＣ＝１）、式１を満たした演奏音の基音の周波数を、質量体毎に示している。ここでは、質量体は、楽器本体の裏側においてネックの基端部と駒との間の中央の位置に装着して実験を行なった。
【００２４】
【表２】
2004144774.tif 000004
【００２５】
表２は、質量体を装着しない場合は、刺激的な音質が多くの音程で現れたことを示している。これに対し、質量体Ａ及び質量体Ｃを装着した場合は、刺激的な音質を出す音程の数が半分に減っており、質量体Ｂを装着した場合はさらに著しく減少している。
【００２６】
次に、質量体を楽器本体に装着する位置を変えた場合の音質への影響を調べた実験について説明する。質量体としては、質量体Ｂを用いた。質量体の装着位置は、楽器本体の裏側におけるネックの基端部と駒との間の中央の位置、この中央位置から３０ｍｍネック寄りの位置（−３０ｍｍ）、及び前記中央位置から３０ｍｍ駒寄りの位置（＋３０ｍｍ）として実験を行なった。
【００２７】
表３は、各位置に質量体を装着して演奏した場合に、所定のＣの値について式１を満たした演奏音の基音の周波数を示している。
【００２８】
【表３】
2004144774.tif 000005
【００２９】
表３は、同じ質量体であっても、装着位置によって音質への影響が異なっていることを示している。また、この例では中央位置に装着した場合に音質の改善効果が最も高く、−３０ｍｍの位置、＋３０ｍｍの位置が各々これに続くことも示している。
【００３０】
図示の例では、質量体を楽器本体の裏面に設けたものを示したが、演奏の障害にならない位置であれば、楽器本体の側面に設けることもできる。また、質量体を装着する位置は、図示の例のように、楽器本体におけるネックの基端部と駒との間のいずれかの位置とするのが望ましいが、ネックの基端部とサドル相当部との間のいずれかの位置とすることもできる。さらに、質量体は、図示のものに限らず種々の形とすることが可能であり、取付け手段も図示のねじ止めの他、両側からばね材で挟む等、種々採用できる。また、移動可能とせずに、望ましい位置に固定してもよい。
【図面の簡単な説明】
【図１】本発明の一実施形態に係る電気バイオリンの正面図である。
【図２】図１に示す電気バイオリンのＩＩ−ＩＩ線に沿う切断端面図である。
【図３】電気バイオリンの演奏音の周波数分析結果の一例を示すグラフである。
【符号の説明】
１：楽器本体、　２：弦、　３：ネック、　４：胴部、　５：楽器本体の基端部（サドル相当部）、　１６：質量体
【図１】
2004144774.tif 000006
【図２】
2004144774.tif 000007
【図３】
2004144774.tif 000008